(57)【要約】【課題】入れ替えの対象となった画像をユーザが容易に特定することが可能な画像表示装置の提供。【解決手段】複数の画像を単一の画面に表示する画像表示装置（１０）は、第１の領域に表示する画像を第１の画像から第２の画像へと段階的に遷移させると共に、上記第１の領域とは異なる第２の領域に表示する画像を上記第２の画像から上記第１の画像へと段階的に遷移させる遷移手段（１０７）を備えている。【選択図】図１
2015159551.tif 000002
【特許請求の範囲】
【請求項１】
複数の画像を単一の画面に表示する画像表示装置であって、
第１の領域に表示する画像を第１の画像から第２の画像へと段階的に遷移させると共に、上記第１の領域とは異なる第２の領域に表示する画像を上記第２の画像から上記第１の画像へと段階的に遷移させる遷移手段を備えている、
ことを特徴とする画像表示装置。
【請求項２】
上記第１の画像、及び、上記第２の画像は、それぞれ、単一の画像を領域的に分割することにより得られる複数の部分画像の何れかである、
ことを特徴とする請求項１に記載の画像表示装置。
【請求項３】
上記遷移手段により生成される画像は、上記第１の領域に、上記第１の画像を第１の割合で含み、かつ、上記第１の領域に、上記第２の画像を第２の割合で含み、上記第２の領域に、上記第１の画像を第３の割合で含み、かつ、上記第２の領域に、上記第２の画像を第４の割合で含み、
上記遷移手段は、上記割合を段階的に変化させる、
ことを特徴とする請求項２に記載の画像表示装置。
【請求項４】
当該画像表示装置は、上記複数の部分画像を、パズルゲームとして表示する、
ことを特徴とする請求項２または３に記載の画像表示装置。
【請求項５】
上記第１の画像、及び、上記第２の画像の各々は、単一の画像である、
ことを特徴とする請求項１に記載の画像表示装置。
【請求項６】
上記遷移手段により生成される画像は、上記第１の領域に、上記第１の画像を第１の割合で含み、かつ、上記第１の領域に、上記第２の画像を第２の割合で含み、上記第２の領域に、上記第１の画像を第３の割合で含み、かつ、上記第２の領域に、上記第２の画像を第４の割合で含み、
上記遷移手段は、上記割合を段階的に変化させる、 
ことを特徴とする請求項５に記載の画像表示装置。
【請求項７】
上記第１の領域、及び、上記第２の領域には、上記第１の画像の一部分と、上記第２の画像の一部分とが含まれ、
上記第１の割合は、上記第１の領域の面積に対する、上記第１の画像の面積の割合であり、上記第２の割合は、上記第１の領域の面積に対する、上記第２の画像の面積の割合であり、上記第３の割合は、上記第２の領域の面積に対する、上記第１の画像の面積の割合であり、上記第４の割合は、上記第２の領域の面積に対する、上記第２の画像の面積の割合であり、
上記遷移手段は、上記第１の割合と上記第４の割合とを段階的に低下させると共に、上記第２の割合と上記第３の割合とを段階的に上昇させる、
ことを特徴とする請求項３または６に記載の画像表示装置。
【請求項８】
上記第１の割合は、上記第１の領域における上記第１の画像の明度であり、上記第２の割合は、上記第１の領域における上記第２の画像の明度であり、上記第３の割合は、上記第２の領域における上記第１の画像の明度であり、上記第４の割合は、上記第２の領域における上記第２の画像の明度であり、
上記遷移手段は、上記第１の割合と上記第４の割合とを段階的に低下させた後に、上記第２の割合と上記第３の割合とを段階的に上昇させるか、または、上記第１の割合と上記第４の割合とを段階的に上昇させた後に、上記第２の割合と上記第３の割合とを段階的に低下させる、
ことを特徴とする請求項３または６に記載の画像表示装置。
【請求項９】
上記第１の割合は、上記第１の領域における上記第１の画像の透過率であり、上記第２の割合は、上記第１の領域における上記第２の画像の透過率であり、上記第３の割合は、上記第２の領域における上記第１の画像の透過率であり、上記第４の割合は、上記第２の領域における上記第２の画像の透過率であり、
上記遷移手段は、上記第１の割合と上記第４の割合とを段階的に上昇させると共に、上記第２の割合と上記第３の割合とを段階的に低下させる、
ことを特徴とする請求項３または６に記載の画像表示装置。
【請求項１０】
上記第１の領域及び上記第２の領域に表示している画像が段階的に遷移させる対象として選択されていることを示すために、上記第１の領域、および上記第２の領域の周囲に枠線を表示する
ことを特徴とする請求項１から９の何れか１項に記載の画像表示装置。
【請求項１１】
請求項１から１０までの何れか１項に記載の画像表示装置を備えている、
ことを特徴とするテレビジョン受像機。
【請求項１２】
複数の画像を単一の画面に表示する画像表示装置の制御方法であって、
第１の領域に表示する画像を第１の画像から第２の画像へと段階的に遷移させると共に、上記第１の領域とは異なる第２の領域に表示する画像を上記第２の画像から上記第１の画像へと段階的に遷移させる遷移ステップを含んでいる、
ことを特徴とする画像表示装置の制御方法。
【請求項１３】
請求項１から１０のいずれか１項に記載の画像表示装置としてコンピュータを機能させるための表示プログラムであって、コンピュータを上記各手段として機能させるための表示プログラム。
【請求項１４】
請求項１３に記載の表示プログラムを記録したコンピュータ読み取り可能な記録媒体。
【発明の詳細な説明】
【技術分野】
【０００１】
本発明は、画像表示装置、及び、画像表示装置の表示方法に関する。また、画像表示装置の各手段を備えたテレビジョン受像機、画像表示装置としてコンピュータを動作させるためのプログラム、及び、そのようなプログラムが記録されている記録媒体に関する。
【背景技術】
【０００２】
テレビジョン受像機（以下、「テレビ」とも呼称する）等の画像表示装置において、単一の画面に複数の画像を表示することが広く行われている。
【０００３】
例えば、特許文献１に記載には、画面内に１つの主画面と２つの子画面とを設け、主画面及び子画面の双方に映像を表示するマルチ画面表示装置が開示されている。また、特許文献２には、静止画像（ビデオ・ストリームの凍結フレーム、すなわち、テレビ番組を構成するフレーム画像）をモザイク化し、パズルゲームとして表示するテレビが開示されている。
【先行技術文献】
【特許文献】
【０００４】
【特許文献１】特開２００２−３３５４４４号公報（２００２年１１月２２日公開）
【特許文献２】特開平８−３３１４１１号公報（１９９６年１２月１３日公開）
【発明の概要】
【発明が解決しようとする課題】
【０００５】
複数の画像を単一の画面に表示する画像表示装置においては、しばしば、画像の入れ替えを行う必要が生じる。
【０００６】
例えば、特許文献１に記載のマルチ画面表示装置においては、それまで第１の子画面に表示されていた映像を主画面に表示し、それまで主画面に表示されていた映像を第２の子画面に表示する。また、特許文献２に記載のテレビにおいては、ユーザがパズルを解く際に、或る領域に表示する部分画像（静止画像を分割することにより得られる画像）と他の領域に表示する部分画像とを相互に入れ替える。
【０００７】
このような画像の入れ替えに関して、以下のような問題があった。すなわち、画像の入れ替えを瞬時に行うと、入れ替えの対象となった画像をユーザが特定することが困難になるという問題があった。
【０００８】
特許文献１に記載のマルチ画面表示装置においては、以下のようにしてこの問題を解決している。すなわち、このマルチ画面表示装置は、それまで第１の子画面に表示されていた映像を主画面に表示する際に、それまで第１の画面に表示されていた映像を拡大しながら主画面上に移動するアニメーションを用いる。また、このマルチ画面表示装置は、それまで主画面に表示されていた映像を第２の子画面に表示する際に、それまで主画面に表示されていた映像を縮小しながら第２の子画面上に移動するアニメーションを用いる。
【０００９】
しかしながら、このようなアニメーションが有効であるのは、特許文献１に記載のマルチ画面表示装置のように、画像の入れ替えが一方向的な場合である。すなわち、特許文献２に記載のテレビのように、或る領域に表示する画像と他の領域に表示する画像とを相互に入れ替える場合には、依然として、入れ替えの対象となった画像をユーザが特定することが困難になるという問題が残っていた。
【００１０】
本発明は、上記の課題に鑑みてなされたものであり、その主たる目的は、或る領域に表示する画像と他の領域に表示する画像とを相互に入れ替える際に、入れ替えの対象となった画像をユーザが容易に特定することが可能な画像表示装置を実現することにある。
【課題を解決するための手段】
【００１１】
上記の課題を解決するために、本発明の一態様に係る画像表示装置は、複数の画像を単一の画面に表示する画像表示装置であって、第１の領域に表示する画像を第１の画像から第２の画像へと段階的に遷移させると共に、上記第１の領域とは異なる第２の領域に表示する画像を上記第２の画像から上記第１の画像へと段階的に遷移させる遷移手段を備えている、ことを特徴としている。
【００１２】
上記の課題を解決するために、本発明の一態様に係る画像表示装置の制御方法は、複数の画像を単一の画面に表示する画像表示装置の制御方法であって、第１の領域に表示する画像を第１の画像から第２の画像へと段階的に遷移させると共に、上記第１の領域とは異なる第２の領域に表示する画像を上記第２の画像から上記第１の画像へと段階的に遷移させる遷移ステップを含んでいる、ことを特徴としている。
【発明の効果】
【００１３】
本発明の一態様によれば、或る領域に表示する画像と他の領域に表示する画像とを相互に入れ替える際に、入れ替えの対象となった画像をユーザが容易に特定することが可能になる。
【図面の簡単な説明】
【００１４】
【図１】本発明の一実施形態に係る表示システムの構成の概略を示すブロック図である。
【図２】本発明の一実施形態に係るモザイク化部において生成される配置テーブルの一例を示す模式図であり、（ａ）はモザイク化画像用フレームの一例を示し、（ｂ）は部分画像の一例を示す模式図であり、（ｃ）はモザイク化画像用フレームのブロックナンバーと部分画像ナンバーとが関連付けられた配置テーブルの一例を示す模式図であり、（ｄ）はモザイク化された画像の一例を示す模式図である。
【図３】本発明の一実施形態に係るモザイク化部による画像の入れ替え処理の概要について説明するための図である。（ａ）はモザイク化部により入れ替え処理が行われている際の一方の部分画像の一例を示す概念図であり、（ｂ）はモザイク化部により入れ替え処理が行われている際の他方の部分画像の一例を示す概念図であり、（ｃ）はモザイク化部により入れ替え処理が行われている際の表示画像の一例を示す模式図である。
【図４】本発明の一実施形態に係るモザイク化部による画像の入れ替え処理の具体例について説明するための図である。（ａ）はモザイク化部による入れ替え処理において、モザイク化部が画像を生成する手順を説明するための模式図であり、（ｂ）はモザイク化部により段階的に遷移される一方の表示画像の一例を示す遷移図であり、（ｃ）はモザイク化部により段階的に遷移される他方の表示画像の一例を示す遷移図である。
【図５】本発明の一実施形態に係るモザイク化部による画像の入れ替え処理の変形例について説明するための図である。（ａ）はモザイク化部による入れ替え処理において、モザイク化部が画像を生成する手順を説明するための模式図であり、（ｂ）はモザイク化部により段階的に遷移される一方の表示画像の一例を示す遷移図であり、（ｃ）はモザイク化部により段階的に遷移される他方の表示画像の一例を示す遷移図である。
【図６】本発明の一実施形態に係るモザイク化部において、入れ替え対象となる２つの領域の位置関係に応じて、入れ替え処理を変更する構成について説明するための図である。（ａ）は入れ替え対象となる２つの領域の水平方向の表示位置が互いに一致する場合に、モザイク化部が行う入れ替え処理の一例を示す模式図であり、（ｂ）は入れ替え対象となる２つの領域の垂直方向の表示位置が互いに一致する場合に、モザイク化部が行う入れ替え処理の一例を示す模式図である。
【図７】本発明の一実施形態に係るモザイク化部による画像の入れ替え処理の他の変形例について説明するための図である。（ａ）はモザイク化部により段階的に遷移される一方の表示画像の一例を示す遷移図であり、（ｂ）はモザイク化部により段階的に遷移される他方の表示画像の一例を示す遷移図である。
【図８】本発明の一実施形態に係るモザイク化部による画像の入れ替え処理の他の変形例について説明するための遷移図である。（ａ）はモザイク化部により段階的に遷移される一方の表示画像の一例を示すであり、（ｂ）はモザイク化部により段階的に遷移される他方の表示画像の一例を示す遷移図である。
【図９】本発明の一実施形態に係るモザイク化部による画像の入れ替え処理の他の変形例の一例を示す模式図である。
【図１０】本発明の他の実施形態に係る表示システムの構成の概要を示すブロック図である。
【図１１】本発明の他の実施形態に係る画像遷移部による画像の入れ替え処理について説明するための図である。（ａ）は画像遷移部により入れ替え処理が行われる際の表示画面の遷移の一例を示す遷移図であり、（ｂ）は画像遷移部による入れ替え処理の手順について説明するための模式図である。
【図１２】本発明のさらに他の実施形態に係る表示システムの構成の概要を示すブロック図である。
【図１３】本発明のさらに他の実施形態に係る画像表示装置が表示する画面の一例を示す模式図である。
【図１４】本発明の一実施形態に係る画像表示装置の構成例を示す外観図であり、（ａ）は画像表示装置、及び当該画像表示装置に接続される外付けディスプレイを示す外観図であり、（ｂ）はディスプレイを備えた画像表示装置を示す外観図であり、（ｃ）は画像表示装置、及び当該画像表示装置に接続される再生装置を示す外観図である。
【図１５】本発明の一実施形態に係るモザイク化部による画像の入れ替え処理において、第１の画像の透過率の経時変化、及び第２の画像の透過率の経時変化を示すグラフである。
【図１６】本発明の一実施形態に係るモザイク化部による画像の入れ替え処理において、第１の画像の透過率の経時変化、及び第２の画像の透過率の経時変化を示すグラフである。
【発明を実施するための形態】
【００１５】
＜実施形態１＞
本発明の一実施形態に係る画像表示装置について、図１から図９を参照して以下に説明する。但し、この実施形態に記載されている構成は、特に特定的な記載がない限り、この発明の範囲をそれのみに限定する趣旨ではなく、単なる説明例に過ぎない。
【００１６】
なお、本実施形態では、画像表示装置がテレビジョン受像機（テレビ）によって実現されているため、以降では、テレビとも呼称する。また、本実施形態に係る画像表示装置は、複数の画像を単一の画面に表示する画像表示装置であり、当該複数の画像の各々は、単一の動画像を分割することによって得られる部分動画像である。
【００１７】
したがって、本実施形態において、画像表示装置は、表示領域を複数の領域に分割し、分割した各領域に複数の部分動画像の各々を表示する。また、画像表示装置は、複数の領域のうち、或る領域（第１の領域）に表示する画像（第１の画像）と、複数の領域のうち、或る領域とは異なる他の領域（第２の領域）に表示する画像（第２の画像）とを入れ替える入れ替え処理を行う。なお、本実施形態において、画像の入れ替え処理は、例えば、リモートコントローラ（以下、「リモコン」とも呼称する）を用いたユーザからの指示を受け付けることによって実現される。
【００１８】
〔表示システムの構成〕
まず、本実施形態に係る表示システムの構成について、図１を参照して説明する。図１は、本実施形態に係る表示システム１の構成の概略を示すブロック図である。
【００１９】
図１に示すように、表示システム１は、テレビ１０、及び、リモコン２０を備えている。また、テレビ１０は、図１に示すように、チューナ部１０１、デコーダ１０２、ビデオバッファ１０３、スケーリング部１０４、転送部１０５、グラフィックバッファ１０６、モザイク化部１０７、リモコン受信部１０８、表示制御部１０９、及び、ディスプレイ１１０を備えている。
【００２０】
（チューナ部）
チューナ部１０１は、地上デジタル放送により放送される放送番組、及び、衛星放送により放送される放送番組などを受信するためのチューナである。
【００２１】
なお、チューナ部１０１は、異なるチャンネルを介して放送される２つの放送番組を同時に受信することが可能なダブルチューナであってもよいし、３つ以上の放送番組を同時に受信することが可能なマルチチューナであってもよい。
【００２２】
（デコーダ）
デコーダ１０２は、チューナ部１０１によって受信された放送番組を表す動画像データを映像信号および音声信号にデコードする。
【００２３】
デコーダ１０２は、例えば、チューナ部１０１が受信する放送番組を示す受信信号をアナログベースバンド信号に変換するＲＦ部、アナログベースバンド信号をデジタルベースバンド信号に変換するＡＤＣ部、デジタルベースバンド信号からＭＰＥＧ２ストリームを復調する復調部、および、ＭＰＥＧ２ストリームから映像信号および音声信号を復号する復号部により構成することができる。
【００２４】
デコーダ１０２は、デコードした映像信号（単一の動画像）を構成するフレーム画像をビデオバッファ１０３に逐次格納する。
【００２５】
（ビデオバッファ）
ビデオバッファ１０３には、デコーダ１０２によってフレーム画像が逐次格納される。例えば、ビデオバッファ１０３には、フレーム画像が１垂直同期周波数（１Ｖ周波数）と同じ周期（以降、単に１Ｖ周期とも記載する）で逐次格納される。
【００２６】
（スケーリング部）
スケーリング部１０４は、ビデオバッファ１０３に格納されているフレーム画像を逐次取得し、ビデオプレーンを生成する。また、スケーリング部１０４は、生成したビデオプレーンに含まれるフレーム画像に対してスケーリング処理を実行した後、表示制御部１０９に供給する。なお、スケーリング部１０４は、ビデオバッファ１０３にフレーム画像が格納される周期と同じ周期（１Ｖ周期）でビデオバッファ１０３からフレーム画像を逐次取得する。
【００２７】
スケーリング部１０４は、フレーム画像のサイズを、ディスプレイ１１０の全体に表示されるサイズにスケーリングしてもよいし、ディスプレイ１１０の一部の領域に表示されるサイズにスケーリングしてもよい。スケーリング部１０４におけるスケーリングのサイズは、例えば、リモコン操作によるユーザ指示によって決定されてもよいし、不図示の制御部によって制御されてもよい。
【００２８】
スケーリング部１０４は、生成したビデオプレーンを、表示制御部１０９に逐次供給する。
【００２９】
（転送部）
転送部１０５は、ビデオバッファ１０３に格納されているフレーム画像を逐次取得し、取得したフレーム画像をグラフィックバッファ１０６に逐次格納する。
【００３０】
なお、転送部１０５は、ビデオバッファ１０３にフレーム画像が格納される周期と同じ周期（１Ｖ周期）でフレーム画像をグラフィックバッファ１０６に逐次格納する場合を例に挙げて説明するが、本発明はこれに限定されるものではない。例えば、転送部１０５は、１Ｖ周期の整数倍（２Ｖ周期、３Ｖ周期など）の周期でフレーム画像をグラフィックバッファ１０６に逐次格納してもよい。
【００３１】
（グラフィックバッファ）
グラフィックバッファ１０６には、転送部１０５によってフレーム画像が逐次格納される。
【００３２】
（モザイク化部）
モザイク化部１０７は、グラフィックバッファ１０６に格納されているフレーム画像を逐次取得し、グラフィックプレーンを生成する。また、モザイク化部１０７は、後述するように、リモコン受信部１０８によって受信されるリモコン信号の示す、モザイク化に関するユーザ指示によってモザイク化処理を実行する。ここで、モザイク化処理とは、フレーム画像を複数の部分画像に分解し、部分画像の配置をシャッフルすることを指す。
【００３３】
また、モザイク化部１０７は、モザイク化処理の過程において、或る領域（第１の領域）に表示する部分画像を、現在表示している画像（第１の画像）から他の領域（上記第１の領域とは異なる第２の領域）に表示している画像（第２の画像）へと段階的に遷移させると共に、他の領域（第２の領域）に表示する部分画像を、現在表示している画像（第２の画像）から或る領域（第１の領域）に表示している画像（第１の画像）へと段階的に遷移させる遷移手段として機能する。
【００３４】
このとき、モザイク化部１０７は、転送部１０５によってグラフィックバッファ１０６にフレーム画像が１Ｖ周期で逐次格納される場合には、当該フレーム画像を１Ｖ周期で逐次取得してもよいし、１Ｖ周期の整数倍の周期で逐次取得してもよい。また、モザイク化部１０７は、転送部１０５によってグラフィックバッファ１０６にフレーム画像が１Ｖ周期の整数倍の周期で逐次格納される場合には、１Ｖ周期の整数倍の周期で逐次取得すればよい。
【００３５】
モザイク化部１０７は、フレーム画像を１Ｖ周期でグラフィックバッファ１０６から逐次取得してモザイク化画像を生成することにより、モザイク化画像をスムーズな動画像により実現することができる。一方、モザイク化部１０７は、フレーム画像を１Ｖ周期の整数倍の周期でグラフィックバッファ１０６から逐次取得してモザイク化画像を生成することにより、当該モザイク化部１０７を含むテレビ１０におけるモザイク化画像の生成に関する処理の負荷を軽減することができる。
【００３６】
次に、モザイク化部１０７は、リモコン信号の示すユーザ指示において選択されているモザイク化画像用フレームを不図示の記憶部から読み出す。また、モザイク化部１０７は、グラフィックバッファ１０６から取得したフレーム画像をモザイク化画像用フレームの有するブロックに合わせて複数の部分画像に分割する。なお、モザイク化画像用フレームの詳細については後述するが、本実施形態に係るモザイク化画像用フレームには複数のブロックが格子状に配列されている。
【００３７】
そして、モザイク化部１０７は、読み出したモザイク化画像用フレームの何れのブロックに部分画像の何れを配置するかを決定するための配置テーブル（配置情報）を生成する。なお、モザイク化部１０７は、配置テーブルを、シャッフル時にランダム生成してもよい。なお、配置テーブルの詳細については図面を変えて後述する。
【００３８】
続いて、モザイク化部１０７は、生成した配置テーブルを参照し、グラフィックバッファ１０６から取得した部分画像を対応するブロックに配置するモザイク化画像を段階的に生成する。すなわち、モザイク化部１０７は、グラフィックバッファ１０６に格納されたフレーム画像を分割することにより得られる複数の部分画像のうち、第１の画像と、第２の画像とを段階的に入れ替えるようにフレーム画像（以下、「遷移フレーム画像」とも呼称する）を生成する。
【００３９】
すなわち、モザイク化部１０７は、生成した配置テーブルを参照し、以下の条件（１）、及び（２）を満たす遷移フレーム画像を生成する。
【００４０】
条件（１）第１の領域に、第１の画像を第１の割合で含み、かつ、第１の領域に、第２の画像を第２の割合で含んでいる。
【００４１】
条件（２）第２の領域に、第１の部分画像を第３の割合で含み、かつ、上記第２の領域に、第２の画像を第４の割合で含んでいる
さらに、モザイク化部１０７は、条件（１）、及び（２）に示される第１〜第４の割合を段階的に変化させながら、遷移フレーム画像を逐次生成する。モザイク化部１０７による遷移フレーム画像の逐次生成の詳細については後述する。
【００４２】
モザイク化部１０７は、生成した遷移フレーム画像を含むグラフィックプレーンを生成し、生成したグラフィックプレーンを表示制御部１０９に逐次供給する。
【００４３】
なお、モザイク化部１０７は、上述のようにして、画像の入れ替えが完了したモザイク化画像を生成した後は、グラフィックバッファ１０６に逐次格納されるフレーム画像を逐次取得し、配置テーブルを参照して、部分画像を対応する各ブロックに配置したモザイク化画像を含むグラフィックプレーンを生成する。これにより、各ブロックに配置される部分画像が逐次更新されるため、モザイク化画像を動画像により実現することができる。
【００４４】
また、モザイク化部１０７は、モザイク化画像を生成する過程だけではなく、モザイク化画像に含まれる画像のうち何れか２つの画像を入れ替える旨の入れ替え指示を受け付けた場合においても、画像を入れ替えたモザイク化画像を段階的に生成することができる。２つの画像の入れ替え指示は、例えば、ユーザによるリモコン操作によって実現され、モザイク化画像のうち、或るブロックに対する選択操作が行われた後、或るブロックとは異なる他のブロックに対する選択操作が行われたことをトリガとして、入れ替え指示を受け付けることができる。
【００４５】
（リモコン受信部）
リモコン受信部１０８は、リモコン２０から無線送信される、ユーザがリモコンを操作することにより行うユーザ指示を示すリモコン信号を受信し、受信したリモコン信号を、当該リモコン信号の示すユーザ指示に応じてテレビ１０の備える各部に供給する。
【００４６】
例えば、リモコン受信部１０８は、受信したリモコン信号の示すユーザ指示が表示画像をモザイク化する旨の指示である場合、当該リモコン信号をモザイク化部１０７に供給する。また、リモコン受信部１０８は、受信したリモコン信号の示すユーザ指示が、複数の分割画像のうち何れか２つの画像を入れ替える旨の指示である場合、当該リモコン信号をモザイク化部１０７に供給する。
【００４７】
リモコン２０は、ユーザのリモコン操作を受け付け、受け付けたリモコン操作の示すユーザ指示をリモコン信号として、テレビ１０（より具体的には、テレビ１０の備えるリモコン受信部１０８）に送信する。なお、本実施形態に係るリモコン２０は、例えば、スマートフォンなどのリモコン機能によっても実現することができる。
【００４８】
リモコン２０とリモコン受信部１０８との間の無線通信としては、例えば、赤外線、Ｂｌｕｅｔｏｏｔｈ（登録商標）、及び、ＩＥＥＥ８０２１１などの無線通信を例に挙げることができるが、これに限定されるものではない。
【００４９】
（表示制御部、ディスプレイ）
表示制御部１０９は、スケーリング部１０４から逐次供給されるビデオプレーンをディスプレイ１１０に逐次描画することにより、ビデオプレーンに含まれるフレーム画像からなる放送番組をディスプレイ１１０に表示する。また、表示制御部１０９は、モザイク化部１０７から逐次供給されるグラフィックプレーンをディスプレイ１１０に逐次描画することにより、グラフィックプレーンに含まれるフレーム画像からなるモザイク化された放送番組をディスプレイ１１０に表示する。
【００５０】
〔配置テーブル〕
次に、配置テーブルについて、図２を参照して説明する。図２は、本実施形態に係るモザイク化部１０７において生成される配置テーブルの一例を示す図である。図２（ａ）は、モザイク化画像用フレームの一例を示す図であり、（ｂ）は、部分画像の一例を示す図であり、（ｃ）は、パズル用フレームのブロックナンバー（ブロックＮｏ）と部分画像ナンバー（部分画像Ｎｏ）とが関連付けられた配置テーブルの一例を示す図であり、（ｄ）は、モザイク化部１０７によりモザイク化された画像の一例を示すである。
【００５１】
モザイク化指示において指定されているモザイク化画像用フレームが、例えば、４行４列の１６個のブロックを有する場合、図２（ａ）に示すように、各ブロックには、１〜１６までのブロックナンバーが与えられている。以下では、ブロックナンバーが「Ｘ」のブロックを「ブロックＸ」とも呼称する。
【００５２】
モザイク化部１０７は、図２（ｂ）に示すように、モザイク化画像用フレームに合わせて分割した部分画像の各々に対して、各部分画像と対応する位置のブロックに与えられているブロックナンバーと同じ値の部分画像ナンバーを付す。以下では、部分画像ナンバーが「Ｙ」の部分画像を「部分画像Ｙ」とも呼称する。
【００５３】
そして、モザイク化部１０７は、或るブロックに配置されている部分画像と他のブロックに配置されている部分画像とを入れ替え、図２（ｃ）に示すように、各ブロックと、各ブロックに配置される部分画像とが関連付けられた配置テーブルを生成する。図２（ｃ）に示す配置テーブルでは、例えば、ブロック１に部分画像７が配置され、ブロック８に部分画像５が配置されることになる。
【００５４】
モザイク化部１０７は、図２（ｃ）に示す配置テーブルを参照して、図２（ｄ）に示すような画像、すなわち、部分画像を対応する各ブロックに配置した画像であって、モザイク化されたフレーム画像を含むグラフィックプレーンを生成し、表示制御部１０９に供給する。なお、生成された配置テーブルは、記憶部（不図示）に格納されればよい。
【００５５】
〔部分画像の入れ替え処理〕
次に、モザイク化部１０７による部分画像の入れ替え処理の概要について図３を参照して説明する。図３は、本実施形態に係るモザイク化部１０７において行われる部分画像の入れ替え処理の概要について説明するための図である。図３に示す例においては、図２（ｄ）に示す画像を表示している場合において、ブロック２（第１の領域）に表示されている部分画像１１（第１の画像）と、ブロック１０（第２の領域）に表示されている部分画像１２（第２の画像）とを入れ替える場合について説明する。
【００５６】
図３（ａ）は、モザイク化部１０７により入れ替え処理が行われている際の一方の部分画像の一例を示す図であり、図３（ｂ）は、モザイク化部１０７により入れ替え処理が行われている際の他方の部分画像の一例を示す図であり、図３（ｃ）は、モザイク化部１０７により入れ替え処理が行われている際の表示画像の一例を示す図である。
【００５７】
図３に示す例において、第１の領域、及び、第２の領域には、第１の画像の一部分と、第２の画像の一部分とが含まれている。また、上記条件（１）に示される第１の割合は、第１の領域の面積に対する、第１の画像の面積の割合であり、第２の割合は、第１の領域の面積に対する、第２の画像の面積の割合である。また、上記条件（２）に示される第３の割合は、第２の領域の面積に対する、第１の画像の面積の割合であり、第４の割合は、第２の領域の面積に対する、第２の画像の面積の割合である。モザイク化部１０７は、第１の割合と第４の割合とを段階的に低下させると共に、第２の割合と第３の割合とを段階的に上昇させることにより、段階的に遷移する遷移フレーム画像を逐次生成する。
【００５８】
例えば、本実施形態に係るモザイク化部１０７は、図３（ａ）に示すように、境界線Ｂ１を境界線として、部分画像１１を表示面に向かって下方にスロットアウトさせると共に、部分画像１２を表示面に向かって上方からスロットインさせるように、ブロック２に表示する画像を、段階的に遷移させる。モザイク化部１０７は、ブロック２に表示している画像が、入れ替え処理の対象として選択されていることを示すために、ブロック２の周囲に枠線Ｆ１（図３（ａ）にて破線で示す）を表示する。
【００５９】
また、モザイク化部１０７は、図３（ｂ）に示すように、境界線Ｂ２を境界線として、部分画像１２を表示面に向かって下方にスロットアウトさせると共に、部分画像１１を表示面に向かって上方からスロットインさせるように、ブロック１０に表示する画像を段階的に遷移させる。
【００６０】
また、モザイク化部１０７は、ブロック１０に表示している画像が、入れ替え処理の対象として選択されていることを示すために、ブロック２の周囲に枠線Ｆ２（図３（ｂ）にて一点鎖線で示す）を表示する。なお、モザイク化部１０７は、表示する枠線Ｆ１、及び枠線Ｆ２を、互いに異ならせることが好ましい。また、モザイク化部１０７は、枠線Ｆ１、及び枠線Ｆ２を明滅させてもよい。さらに、モザイク化部１０７は、枠線Ｆ１、及び枠線Ｆ２の明滅の周波数または位相の少なくとも何れかを異ならせる構成としてもよい。上記のように構成することにより、入れ替えの対象となった画像をユーザが容易に特定することが可能になる。
【００６１】
〔入れ替え処理の具体例〕
次に、モザイク化部１０７による入れ替え処理の具体例について、図４を参照しながら説明する。図４は、モザイク化部１０７による入れ替え処理の具体例について説明するための図である。図４に示す例においても、図３に示す例と同様に、図２（ｄ）に示す画像を表示している場合において、ブロック２（第１の領域）に表示されている部分画像１１（第１の画像）と、ブロック１０（第２の領域）に表示されている部分画像１２（第２の画像）とを入れ替える場合について説明する。
【００６２】
図４に示す例において、第１の領域、及び、第２の領域には、第１の画像の一部分と、第２の画像の一部分とが含まれている。また、上記条件（１）に示される第１の割合は、第１の領域の面積に対する、第１の画像の面積の割合であり、第２の割合は、第１の領域の面積に対する、第２の画像の面積の割合である。また、上記条件（２）に示される第３の割合は、第２の領域の面積に対する、第１の画像の面積の割合であり、第４の割合は、第２の領域の面積に対する、第２の画像の面積の割合である。モザイク化部１０７は、第１の割合と第４の割合とを段階的に低下させると共に、第２の割合と第３の割合とを段階的に上昇させ、第１の領域及び第２の領域において、第１の画像と第２の画像との間の境界線を、表示面に向かって垂直方向に移動させることにより、段階的に遷移する遷移フレーム画像を逐次生成する。
【００６３】
図４（ａ）は、モザイク化部１０７による入れ替え処理において、モザイク化部１０７が画像を生成する手順を説明するための図である。図４の（ａ）は、グラフィックバッファ１０６に格納されたフレーム画像の第１の領域から読み出した第１の部分画像である画像α、及びグラフィックバッファ１０６に格納されたフレーム画像の第２の領域から読み出した第２の部分画像である画像βを示している。
【００６４】
モザイク化部１０７は、画像αを、分割線Ｄ１を境界線として、図４（ａ）に示す画像α１と、画像α２とに分割する。同様に、モザイク化部１０７は、画像βを、分割線Ｄ２を境界線として、図４（ａ）に示す画像β１と、画像β２とに分割する。
【００６５】
モザイク化部１０７は、ブロック２において、画像α１を第１の割合で含み、かつ画像β２を第２の割合で含む（上記条件（１））ように合成することにより、ブロック２に表示する画像を生成する。この際、モザイク化部１０７は、境界線Ｂ１の下方に画像α１を配置するとともに、境界線Ｂ１の上方に画像β２を配置するように、画像α１と画像β２とを合成する。
【００６６】
また、モザイク化部１０７は、ブロック１０において、画像α２を第３の割合で含み、かつ、画像β１を第４の割合で含む（上記条件（２））ように合成することにより、ブロック１０に表示する画像を生成する。この際、モザイク化部１０７は、境界線Ｂ２の下方に画像β１を配置するとともに、境界線Ｂ１の上方に画像α２を配置するように、画像α２と画像β１とを合成する。
【００６７】
モザイク化部１０７は、生成した各画像を含む遷移フレーム画像を生成し、表示制御部１０９に供給する。
【００６８】
続いて、モザイク化部１０７は、画像αの分割線Ｄ１、及び画像βの分割線Ｄ２を表示面に向かって上方に移動させながら、同様の処理を行う。上記の処理により、モザイク化部１０７は、ブロック２及びブロック１０の各々に表示される境界線であって、画像αと画像βとの間の境界線Ｂ１、Ｂ２を表示面に向かって下方に移動させることになる。
【００６９】
この際、画像α、及び画像βは、グラフィックバッファ１０６に格納されたフレーム画像の第１の領域、及び第２の領域から新たに読み出される。グラフィックバッファ１０６には、転送部１０５によりフレーム画像が逐次格納されているため、原画像が動画像である場合においても、スムーズな動画像として表示することができる。モザイク化部１０７は、上記の処理を繰り返すことにより、モザイク化部１０７は、現在表示している画像を表示面に向かって下方にスロットアウトさせるとともに、他の画像を表示面に向かって上方からスロットインさせるように段階的に遷移する画像を逐次生成することができる。
【００７０】
また、モザイク化部１０７は、画像αの分割線Ｄ１、及び画像βの分割線Ｄ２を表示面に向かって下方に移動させながら、同様の処理を繰り返すことにより、現在表示している画像を表示面に向かって上方にスロットアウトさせるとともに、他の画像を表示面に向かって下方からスロットインさせるように段階的に遷移する画像を逐次生成するように構成してもよい。
【００７１】
図４（ｂ）は、モザイク化部１０７により段階的に遷移される一方の表示画像の一例を示す図であり、図４（ｃ）は、モザイク化部１０７により段階的に遷移される他方の表示画像の一例を示す図である。なお、図４（ｂ）、（ｃ）に示す例においては、説明の便宜上、表示画像が静止画像である場合について説明するが、これは本発明を限定するものではなく、表示画像は、動画像であってもよい。
【００７２】
図４（ｂ）に示すように、入れ替え処理の開始時点において、ブロック２には、画像αが表示されている。続いて、入れ替え処理が進むと、ブロック２には、画像α１の表示サイズ＞画像β２の表示サイズとなる画像が表示される。続いて、さらに入れ替え処理が進むと、ブロック２には、画像α１の表示サイズ＝画像β２の表示サイズとなる画像が表示される。続いて、ブロック２には、画像α１の表示サイズ＜画像β２の表示サイズとなる画像が表示され、入れ替え処理の終了時点においては、ブロック２には、画像βが表示される。
【００７３】
一方、図４（ｃ）に示すように、入れ替え処理の開始時点において、ブロック１０には、画像βが表示されている。続いて、入れ替え処理が進むと、ブロック１０には、画像β１の表示サイズ＞画像α２の表示サイズとなる画像が表示される。続いて、さらに入れ替え処理が進むと、ブロック１０には、画像β１の表示サイズ＝画像α２の表示サイズとなる画像が表示される。続いて、ブロック１０には、画像β１の表示サイズ＜画像α２の表示サイズとなる画像が表示され、入れ替え処理の終了時点においては、ブロック１０には、画像αが表示される。
【００７４】
したがって、上記のように構成することにより、入れ替え処理の実行時において、入れ替え処理の対象となる画像を段階的に遷移させることが可能となるため、入れ替えの対象となった画像をユーザが容易に特定することが可能になる。
【００７５】
なお、本実施形態に係るモザイク化部１０７が行う入れ替え処理は、図４に示した処理に限定されるものではなく、モザイク化部１０７を以下の変形例のように構成してもよい。
【００７６】
〔入れ替え処理の変形例〕
続いて、モザイク化部１０７による入れ替え処理の変形例について、図５〜９を参照しながら説明する。なお、以下の変形例においても、図３に示す例と同様に、図２（ｄ）に示す画像を表示している場合において、ブロック２に表示されている部分画像１１と、ブロック１０に表示されている部分画像１２とを入れ替える場合について説明する。
【００７７】
（変形例１）
図５は、モザイク化部１０７による入れ替え処理の変形例について説明するための図である。図５（ａ）は、モザイク化部１０７による入れ替え処理において、モザイク化部１０７が画像を生成する手順を説明するための図である。図５（ｂ）は、モザイク化部１０７により段階的に遷移される一方の表示画像の一例を示す図であり、図５（ｃ）は、モザイク化部１０７により段階的に遷移される他方の表示画像の一例を示す図である。
【００７８】
本変形例が、図４に示す例と異なる点は、現在表示している画像を表示面に向かって右側にスロットアウトさせるとともに、他の画像を表示面に向かって左側からスロットインさせるように段階的に遷移させる点である。
【００７９】
すなわち、図５に示す例において、第１の領域、及び、第２の領域には、第１の画像の一部分と、第２の画像の一部分とが含まれている。また、上記条件（１）に示される第１の割合は、第１の領域の面積に対する、第１の画像の面積の割合であり、第２の割合は、第１の領域の面積に対する、第２の画像の面積の割合である。また、上記条件（２）に示される第３の割合は、第２の領域の面積に対する、第１の画像の面積の割合であり、第４の割合は、第２の領域の面積に対する、第２の画像の面積の割合である。モザイク化部１０７は、第１の割合と第４の割合とを段階的に低下させると共に、第２の割合と第３の割合とを段階的に上昇させ、第１の領域及び第２の領域において、第１の画像と第２の画像との間の境界線を、表示面に向かって水平方向に移動させることにより、段階的に遷移する遷移フレーム画像を逐次生成する。
【００８０】
したがって、本変形例においては、第１の部分画像である画像αの分割線Ｄ１、及び第２の部分画像である画像βの分割線Ｄ２が、垂直方向に配置される点において、図４の（ａ）に示す例と異なっている。モザイク化部１０７は、図４に示す例と同様に、画像αを、分割線Ｄ１を境界線として、画像α１と、画像α２とに分割すると共に、画像βを、分割線Ｄ２を境界線として画像β１と、画像β２とに分割する。
【００８１】
モザイク化部１０７は、ブロック２において、画像α１を第１の割合で含み、かつ画像β２を第２の割合で含む（上記条件（１））ように合成することにより、ブロック２に表示する画像を生成する。モザイク化部１０７は、境界線Ｂ１の右側に画像α１を配置するとともに、境界線Ｂ１の左側に画像β２を配置するように、画像α１と画像β２とを合成する。
【００８２】
また、モザイク化部１０７は、ブロック１０において、画像α２を第３の割合で含み、かつ、画像β１を第４の割合で含む（上記条件（２））ように合成することにより、ブロック１０に表示する画像を生成する。モザイク化部１０７は、境界線Ｂ２の右側に画像β１を配置するとともに、境界線Ｂ１の左側に画像α２を配置するように、画像α２と画像β１とを合成する。モザイク化部１０７は、生成した各画像を含む遷移フレーム画像を生成し、表示制御部１０９に供給する。
【００８３】
続いて、モザイク化部１０７は、グラフィックバッファ１０６から、新たな画像α、及び画像βを読み出し、画像αの分割線Ｄ１、及び画像βの分割線Ｄ２を表示面に向かって左側に移動させながら、同様の処理を行う。上記の処理により、モザイク化部１０７は、ブロック２及びブロック１０の各々に表示される境界線であって、画像αと画像βとの間の境界線Ｂ１、Ｂ２を表示面に向かって右側に移動させることになる。上記の処理を繰り返すことにより、モザイク化部１０７は、図５（ｂ）、及び（ｃ）に示すように、現在表示している画像を表示面に向かって右側にスロットアウトさせるとともに、他の画像を表示面に向かって左側からスロットインさせるように段階的に遷移する画像を逐次生成することができる。また、モザイク化部１０７は、画像αの分割線Ｄ１、及び画像βの分割線Ｄ２を表示面に向かって右側に移動させながら、同様の処理を繰り返すことにより、現在表示している画像を左側にスロットアウトさせるとともに、他の画像を右側からスロットインさせるように段階的に遷移する画像を逐次生成するように構成してもよい。
【００８４】
なお、本変形例において、入れ替え対象となる２つの領域の位置関係に応じて、モザイク化部１０７が行う入れ替え処理を変更する構成としてもよい。上記の構成の具体例について、図６を参照して説明する。
【００８５】
図６は、入れ替え対象となる２つの領域の位置関係に応じて、モザイク化部１０７が行う入れ替え処理を変更する構成について説明するための図である。
【００８６】
例えば、図６（ａ）に示すように、入れ替え対象となる２つの領域が、ブロック２、及びブロック１０である場合、モザイク化部１０７は、現在表示している画像を表示面に向かって下方にスロットアウトさせるとともに、他の画像を表示面に向かって上方からスロットインさせるように段階的に遷移させることが好ましい。すなわち、第１の領域の水平方向の表示位置と、第２の領域の水平方向の表示位置とが一致する場合に、モザイク化部１０７は、第１の領域及び第２の領域において、第１の画像と第２の画像との間の境界線を、表示面に向かって垂直方向に移動させる。なお、２つの領域の水平方向の表示位置が互いに一致するか否かを判定するためには、ブロックナンバーを用いればよい。例えば、先に選択された入れ替え対象となる領域を示すブロックナンバーが「２」である場合には、後に選択された入れ替え対象となる領域を示すブロックナンバーが、「６」、「１０」、または「１４」であるか否かを判定するように構成すればよい。
【００８７】
また、例えば、図６（ｂ）に示すように、入れ替え対象となる２つの領域が、ブロック２、及びブロック４である場合、モザイク化部１０７は、２つの領域の垂直方向の表示位置が互いに一致する場合には、現在表示している画像を表示面に向かって右側にスロットアウトさせるとともに、他の画像を表示面に向かって左側からスロットインさせるように段階的に遷移させることが好ましい。すなわち、第１の領域の垂直方向の表示位置と、第２の領域の垂直方向の表示位置とが一致する場合に、モザイク化部１０７は、第１の領域及び第２の領域において、第１の画像と第２の画像との間の境界線を、表示面に向かって水平方向に移動させる。なお、２つの領域の垂直方向の表示位置が互いに一致するか否かを判定するためには、ブロックナンバーを用いればよい。例えば、先に選択された入れ替え対象となる領域を示すブロックナンバーが「２」である場合には、後に選択された入れ替え対象となる領域を示すブロックナンバーが、「１」、「３」、または「４」であるか否かを判定するように構成すればよい。
【００８８】
また、入れ替え対象となる２つの領域の水平方向の表示位置、及び垂直方向の表示位置の何れもが互いに異なる場合には、モザイク化部１０７は、予め定められた処理として、現在表示している画像を表示面に向かって下方にスロットアウトさせるとともに、他の画像を表示面に向かって上方からスロットインさせるように段階的に遷移する画像を逐次生成するように構成すればよい。
【００８９】
上記の構成によれば、テレビ１０を視聴しているユーザに与える違和感を抑制しつつ、入れ替えの対象となった画像をユーザが容易に特定することが可能になる。
【００９０】
（変形例２）
図７は、モザイク化部１０７による入れ替え処理の他の変形例について説明するための図である。図７（ａ）は、モザイク化部１０７により段階的に遷移される表示画像であって、入れ替え処理の対象の一方の領域の表示画像の一例を示す図である。図７（ｂ）は、モザイク化部１０７により段階的に遷移される表示画像であって、入れ替え処理の対象の他方の領域の表示画像の一例を示す図である。
【００９１】
本変形例が、前記実施形態と異なる点は、現在表示している画像をフェードアウトさせた後に、他の画像をフェードインさせるように段階的に遷移させる点である。
【００９２】
図７に示す例において、上記条件（１）に示される第１の割合は、第１の領域における第１の画像の明度であり、第２の割合は、第１の領域における第２の画像の明度である。また、上記条件（２）に示される第３の割合は、第２の領域における第１の画像の明度であり、第４の割合は、第２の領域における上記第２の画像の明度である。モザイク化部１０７は、上記第１の割合と上記第４の割合とを段階的に低下させた後に、上記第２の割合と上記第３の割合とを段階的に上昇させることにより、段階的に遷移する遷移フレーム画像を逐次生成する。
【００９３】
なお、本変形例において、テレビ１０の記憶部（不図示）には、黒色のみで構成された黒画像が予め格納されており、モザイク化部１０７は、現在表示している画像に、透過率を変化させた黒画像を重畳表示することにより、当該画像の明度を変化させることができる。ここで、画像の「透過率」とは、当該画像の背面に配置されている画像を透過する割合を示している。例えば、画像の透過率を１００％にすると、当該画像は透明になり、当該画像の背面に配置されている画像のみが表示されることになる。すなわち、或る画像に重畳する黒画像の透過率を低下させることにより、当該画像の明度が低下し、或る画像に重畳する黒画像の透過率を上昇させることにより、当該画像の明度が上昇することになる。
【００９４】
例えば、モザイク化部１０７は、現在表示している画像に、透過率を７５％に設定した黒画像を重畳することにより、現在表示している画像よりも明度を低下させた画像を生成することができる。また、モザイク化部１０７は、現在表示している画像に、透過率を５０％に設定した黒画像を重畳表示することにより、さらに明度を低下させた画像を生成することができる。したがって、モザイク化部１０７は、現在表示している画像に重畳する黒画像の透過率を段階的に低下させることにより、フェードアウト効果を得ることができる。
【００９５】
具体的には、モザイク化部１０７は、現在表示している画像αに重畳する黒画像の透過率を０％になるまで段階的に低下させることにより、ブロック２に表示する画像を逐次生成する。続いて、モザイク化部１０７は、ブロック２に表示する画像として、画像βに、透過率が０％に設定された黒画像を重畳した画像を生成する。続いて、モザイク化部１０７は、画像βに重畳する黒画像の透過率を１００％になるまで段階的に上昇させることにより、ブロック２に表示する画像を逐次生成することができる。同様に、モザイク化部１０７は、現在表示している画像βに重畳する黒画像の透過率を０％になるまで段階的に低下させることにより、ブロック１０に表示する画像を逐次生成する。続いて、モザイク化部１０７は、ブロック１０に表示する画像として、画像αに、透過率が０％に設定された黒画像を重畳した画像を生成する。続いて、モザイク化部１０７は、画像αに重畳する黒画像の透過率を１００％になるまで段階的に上昇させることにより、ブロック１０に表示する画像を逐次生成することができる。
【００９６】
図７（ａ）に示すように、入れ替え処理の開始時点において、ブロック２には、画像αが表示されている。続いて、入れ替え処理が進むと、ブロック２に表示される画像αは、フェードアウトし、ブロック２には、黒画像が表示される。続いて、ブロック２には、画像βがフェードンインし、入れ替え処理の終了時点においては、ブロック２には、画像βが表示される。一方、図７（ｂ）に示すように、入れ替え処理の開始時点において、ブロック１０には、画像βが表示されている。続いて、入れ替え処理が進むと、ブロック２に表示される画像βは、フェードアウトし、ブロック１０には、黒画像が表示される。続いて、ブロック２には、画像αがフェードンインし、入れ替え処理の終了時点においては、ブロック２には、画像αが表示される。
【００９７】
上記のように構成することにより、画像の入れ替え処理中に、黒画像が表示されるため、入れ替えの対象となった画像をユーザが容易に特定することが可能になる。
【００９８】
なお、本変形例においては、画像α及び画像βに重畳する画像として黒画像を用いているが、画像α及びβに重畳する画像は、これに限定されない。すなわち、画像α及び画像βに重畳する画像として、任意の単色画像を用いることができる。例えば、或る画像に重畳する画像として白画像を用いる場合に、或る画像に重畳する白画像の透過率を低下させることにより、当該画像の明度が上昇し、或る画像に重畳する白画像の透過率を上昇させることにより、当該画像の明度が低下することになる。上記の場合に、モザイク化部１０７は、上記第１の割合と上記第４の割合とを段階的に上昇させた後に、上記第２の割合と上記第３の割合とを段階的に低下させることにより、段階的に遷移する遷移フレーム画像を逐次生成する。上記の構成によれば、モザイク化部１０７は、現在表示している画像を白画像にフェードアウトさせた後に、白画像に他の画像をフェードインさせることができるので、入れ替えの対象となった画像をユーザが容易に特定することが可能になる。
【００９９】
また、本変形例において、或る画像に重畳する単色画像の透過率を段階的に変化させることにより、当該画像の明度を変化させるように構成しているが、本発明はこれに限定されるものではない。例えば、モザイク化部１０７は、現在表示している画像の透過率を変化させることにより、明度を変化させる構成としてもよい。例えば、テレビ１０において、背景色として黒色が設定されている場合には、或る画像の透過率を上昇させることにより、当該画像の明度が低下し、或る画像の透過率を低下させることにより、当該画像の明度が上昇することになる。したがって、上記のように構成した場合には、画像の明度を変化させるために用いる単色画像を記憶部（不図示）に予め格納しておく必要がない。
【０１００】
例えば、モザイク化部１０７は、現在表示している画像の透過率を０％から２５％に設定することにより、現在表示している画像よりも明度を低下させた画像を生成することができる。また、モザイク化部１０７は、現在表示している画像の透過率を２５％から５０％に設定することにより、さらに明度を低下させた画像を生成することができる。したがって、モザイク化部１０７は、現在表示している画像の透過率を段階的に上昇させることにより、フェードアウト効果を得ることができる。
【０１０１】
図１５は、本変形例に係るモザイク化部１０７による画像の入れ替え処理において、第１の画像の透過率の経時変化、及び第２の画像の透過率の経時変化を示すグラフである。図１５に示すグラフにおいて、横軸は時間を表し、縦軸は画像の透過率を表している。また、図１５に示すグラフにおいて、ブロック２における画像αの透過率を実線で示し、ブロック２における画像βの透過率を破線で示す。
【０１０２】
図１５に示すように、画像の入れ替え処理の開始時点である時刻Ｔ０において、ブロック２に現在表示している画像αの透過率は０％であり、画像βの透過率は１００％である。したがって、ブロック２には、画像αのみが表示されている。モザイク化部１０７は、画像αの透過率を１００％になるまで段階的に上昇させることにより、ブロック２に表示する画像を逐次生成する。図１５に示す時刻Ｔ１において、画像αの透過率が１００％になると、ブロック２には黒一色（背景色として予め設定されている色）が表示される。続いて、モザイク化部１０７は、画像βの透過率を０％になるまで段階的に低下させることにより、ブロック２に表示する画像を逐次生成する。図１５に示すように、画像の入れ替え処理の終了時点である時刻Ｔ２において、画像αの透過率は１００％であり、画像βの透過率は０％であるため、ブロック２には画像βが表示される。同様に、モザイク化部１０７は、ブロック１０に現在表示している画像βの透過率を１００％になるまで段階的に上昇させた後に、ブロック１０に表示する画像αの透過率を０％になるまで段階的に低下させることにより、ブロック１０に表示する画像を逐次生成することができる。
【０１０３】
（変形例３）
図８は、モザイク化部１０７による入れ替え処理の他の変形例について説明するための図である。図８（ａ）は、モザイク化部１０７により段階的に遷移される表示画像であって、入れ替え処理の対象の一方の領域の表示画像の一例を示す図である。図８（ｂ）は、モザイク化部１０７により段階的に遷移される表示画像であって、入れ替え処理の対象の他方の領域の表示画像の一例を示す図である。
【０１０４】
本変形例が、前記実施形態と異なる点は、現在表示している画像をフェードアウトさせつつ、他の画像をフェードインする、すなわちクロスフェードするように段階的に遷移させる点である。
【０１０５】
図８に示す例において、上記条件（１）に示される第１の割合は、第１の領域における上記第１の画像の透過率であり、第２の割合は、上記第１の領域における第２の画像の透過率である。また、上記条件（２）に示される第３の割合は、第２の領域における第１の画像の透過率であり、第４の割合は、第２の領域における第２の画像の透過率である。モザイク化部１０７は、第１の割合と第４の割合とを段階的に上昇させると共に、第２の割合と第３の割合とを段階的に低下させることにより、段階的に遷移する遷移フレーム画像を逐次生成する。
【０１０６】
本変形例に係るモザイク化部１０７は、画像の透過率を段階的に低下させる処理により、画像をフェードアウトさせる。また、モザイク化部１０７は、画像の透過率を段階的に増加させる処理により、画像をフェードインさせる。
【０１０７】
図８（ａ）に示す例において、上記条件（１）における第１の割合は、画像αの透過率であり、上記条件（１）における第２の割合は、画像βの透過率である。図８（ａ）に示すように、入れ替え処理の開始時点において、ブロック２には、画像αの背面に画像βを配置した画像が表示されている。入れ替え処理の開始時点において、第１の割合は０％であり、第２の割合は１００％であため、ブロック２には、画像αのみが表示されている。入れ替え処理が進むと、ブロック２には、画像の透過率が増加した画像αと、画像の透過率が低下した画像βとが重なり合うように表示される。続いて、さらに入れ替え処理が進むと、ブロック２には、ブロック２には、画像の透過率がさらに増加した画像αと、画像の透過率がさらに低下した画像βとが重なり合うように表示される。入れ替え処理の終了時点においては、第１の割合は１００％であり、第２の割合は０％であるため、ブロック２には、画像βが表示される。
【０１０８】
同様に、図８（ｂ）に示す例においては、上記条件（２）における第３の割合は、画像αの透過率であり、上記条件（２）における第４の割合は、画像βの透過率である。図８（ｂ）に示すように、入れ替え処理の開始時点において、第３の割合は１００％であり、第４の割合は０％であため、ブロック１０には、画像βのみが表示されている。第３の割合、及び第４の割合を段階的に変化させていくことにより、入れ替え処理の終了時点においては、第３の割合は０％であり、第４の割合は１００％になるため、ブロック１０には、画像αが表示される。
【０１０９】
図１６は、本変形例に係るモザイク化部１０７による画像の入れ替え処理において、第１の画像の透過率の経時変化、及び第２の画像の透過率の経時変化を示すグラフである。図１６に示すグラフにおいて、横軸は時間を表し、縦軸は画像の透過率を表している。また、図１６に示すグラフにおいて、ブロック２における画像αの透過率を実線で示し、ブロック２における画像βの透過率を破線で示す。
【０１１０】
図１６に示すように、入れ替え処理の開始時点である時刻Ｔ０において、第１の割合は０％であり、第２の割合は１００％であため、ブロック２には、画像αのみが表示されている。モザイク化部１０７は、第１の割合を１００％になるまで段階的に上昇させつつ、第２の割合を０％になるまで段階的に低下させることにより、ブロック２に表示する画像を逐次生成する。図１６に示す時刻Ｔ１において、ブロック２には、画像の透過率が上昇した画像αと、画像の透過率が低下した画像βとが重なり合うように表示される。図１６に示すように、入れ替え処理の終了時点である時刻Ｔ２においては、第１の割合は１００％であり、第２の割合は０％であるため、ブロック２には、画像βが表示される。同様に、モザイク化部１０７は、第４の割合を１００％になるまで段階的に上昇させつつ、第３の割合を０％になるまで段階的に低下させることにより、ブロック１０に表示する画像を逐次生成することができる。
【０１１１】
上記のように構成することにより、現在表示している画像をフェードアウトさせつつ、他の画像をフェードインさせることができるため、入れ替えの対象となった画像をユーザが容易に特定することが可能になる。
【０１１２】
なお、本変形例において、例えば、ブロック２に現在表示している画像αの透過率を段階的に上昇させた後に、画像βの透過率を段階的に低下させることにより、前記変形例のように、現在表示している画像をフェードアウトさせた後に、他の画像をフェードインさせるように段階的に遷移させるように構成してもよい。
【０１１３】
（その他の変形例）
図９は、モザイク化部１０７が行う入れ替え処理の他の変形例の一例を示す模式図である。本実施形態に係るモザイク化部１０７は、入れ替え処理を行う際に、上述した処理だけではなく、例えば、図９に示すような遷移表示（視覚効果）を伴って入れ替え処理を行うように構成してもよい。また、上述した処理、及び図９に示す処理の何れを用いるかを、ユーザにより選択可能に構成してもよい。
【０１１４】
例えば、図９（ａ）に示すように、モザイク化部１０７は、画像の入れ替え処理を行う際に、段階的に遷移する画像を逐次生成しないように構成してもよい。また、図９（ｂ）に示すように、モザイク化部１０７は、入れ替え対象となる領域を、表示面に向かって水平方向に長手方向を有する複数の領域に分割し、分割された各々の領域において、現在表示している画像に他の画像を表示面に向かって上方からスロットインするように、段階的に遷移させる（ブラインド効果）構成としてもよい。同様に、図９（ｃ）に示すように、モザイク化部１０７は、入れ替え対象となる領域を、垂直方向に長手方向を有する複数の領域に分割し、分割された各々の領域において、現在表示している画像に他の画像が表示面に向かって左側からスロットインするように、段階的に遷移させる構成としてもよい。
【０１１５】
さらに、図９（ｄ）に示すように、モザイク化部１０７は、入れ替え対象となる領域において、当該領域の四隅から中心に向かって、現在表示している画像から他の画像へ段階的に遷移させる（ボックスワイプイン効果）ように構成してもよい。また、図９（ｅ）に示すように、モザイク化部１０７は、入れ替え対象となる領域において、当該領域の中心から四隅に向かって、現在表示している画像から他の画像へ段階的に遷移させる（ボックスワイプアウト効果）ように構成してもよい。
【０１１６】
さらに、図９（ｆ）に示すように、モザイク化部１０７は、入れ替え対象となる領域を、複数の矩形領域に分割し、分割された各々の領域において、現在表示している画像に他の画像が表示面に向かって左側からスロットインするように、段階的に遷移させる（チェッカーワイプ効果）構成としてもよい。また、図９（ｇ）に示すように、モザイク化部１０７は、入れ替え対象となる領域を、複数の矩形領域に分割し、分割された各々の領域において、現在表示している画像に他の画像が表示面に向かって上方からスロットインするように、段階的に遷移させる構成としてもよい。
【０１１７】
さらに、図９（ｈ）に示すように、モザイク化部１０７は、入れ替え対象となる領域を、水平方向に長手方向を有する複数の領域に分割し、分割された各々の領域のうち、奇数番目の領域においては、現在表示している画像に他の画像が表示面に向かって左側からスロットインし、かつ、分割された各々の領域のうち、偶数番目の領域においては、現在表示している画像に他の画像が表示面に向かって右側からスロットインするように、段階的に遷移させる構成としてもよい。また、図９（ｉ）に示すように、モザイク化部１０７は、入れ替え対象となる領域を、垂直方向に長手方向を有する複数の領域に分割し、分割された各々の領域のうち、奇数番目の領域においては、現在表示している画像に他の画像が表示面に向かって上方からスロットインし、かつ、分割された各々の領域のうち、偶数番目の領域においては、現在表示している画像に他の画像が表示面に向かって下方からスロットインするように、段階的に遷移させる構成としてもよい。
【０１１８】
以上のように、様々な遷移表示を伴って、画像の入れ替え処理を行うことにより、テレビ１０は、入れ替えの対象となった画像をユーザが容易に特定することができる。
【０１１９】
〔画像表示装置１０の構成例〕
図１４は、本実施形態に係る画像表示装置１０の構成例を示す外観図である。画像表示装置１０の構成例は、例えば、図１４（ａ）に示す構成でもよい。図１４（ａ）に例示した画像表示装置１０は、外付ディスプレイ４０と無線通信により接続されており、画像表示装置１０がディスプレイ（内蔵ディスプレイ）を備えていない場合においても、外付ディスプレイ４０に画像を表示することができる。なお、画像表示装置１０と、外付ディスプレイとの接続は有線接続であってもよい。また、画像表示装置１０の構成例として、例えば、図１４（ｂ）に示す構成としてもよい。図１４（ｂ）における画像表示装置１０は、本実施形態にて説明した通り、ディスプレイ（内蔵ディスプレイ）を備えているため、画像表示装置１０は、「テレビ」とも呼称される。また、画像表示装置１０の構成例として、例えば、図１４（ｃ）に示すような構成としてもよい。図１４（ｃ）における画像表示装置１０は、例えば、ＤＶＤ（Digital Versatile Disc）プレーヤなどの外部機器３０により再生された画像を表示するものであってもよい。
【０１２０】
＜実施形態２＞
実施形態１では、単一の動画像を分割することによって得られる部分動画像同士を入れ替える場合を例に挙げて説明したが、本発明はこれに限定されるものではない。本実施形態において、画像表示装置が表示する複数の画像の各々は、単一の動画像である。本発明の他の実施形態について、図１０から図１１を参照して以下に説明する。但し、この実施形態に記載されている構成は、特に特定的な記載がない限り、この発明の範囲をそれのみに限定する趣旨ではなく、単なる説明例に過ぎない。
【０１２１】
図１０は、本実施形態に係る表示システム２の構成の概要を示すブロック図である。なお、説明の便宜上、前記実施形態にて説明した部材と同じ機能を有する部材については、同じ符号を付記し、その説明を省略する。
【０１２２】
図１０に示すように、表示システム２は、テレビ１０ａ、及び、リモコン２０を備えている。また、テレビ１０ａは、図１０に示すように、チューナ部１０１ａ、デコーダ１０２ａ、ビデオバッファ１０３ａ、スケーリング部１０４、転送部１０５、グラフィックバッファ１０６、画像遷移部１０７ａ、リモコン受信部１０８、表示制御部１０９、及び、ディスプレイ１１０を備えている。
【０１２３】
本実施形態において、チューナ部１０１ａは、地上デジタル放送により放送される放送番組、及び、衛星放送により放送される放送番組などを受信するためのチューナであって、異なるチャンネルを介して放送される２つの放送番組（第１の放送番組、及び第２の放送番組）を同時に受信することが可能なダブルチューナである。なお、チューナ部１０１ａは、３つ以上の放送番組を同時に受信することが可能なマルチチューナであってもよい。
【０１２４】
また、本実施形態において、デコーダ１０２ａは、チューナ部１０１ａによって受信された第１の放送番組を表す動画像データを第１の映像信号（第１の動画像）および第１の音声信号にデコードすると共に、チューナ部１０１ａによって受信された第２の放送番組を表す動画像データを第２の映像信号（第２の動画像）および第２の音声信号にデコードする。デコーダ１０２ａは、デコードした第１の映像信号を構成するフレーム画像（第１の画像）、及びデコードした第２の映像信号を構成するフレーム画像（第２の画像）をビデオバッファ１０３ａに逐次格納する。
【０１２５】
また、本実施形態において、ビデオバッファ１０３ａに格納された第１の動画像のフレーム画像、及び第２の動画像のフレーム画像は、スケーリング部１０４により逐次取得され、それぞれ第１の領域、及び、第１の領域とは異なる第２の領域に表示されるように、スケーリング処理が実行される。
【０１２６】
また、グラフィックバッファ１０６には、転送部１０５によって第１の動画像のフレーム画像、及び第２の動画像のフレーム画像が逐次格納される。
【０１２７】
（画像遷移部１０７ａ）
画像遷移部１０７ａは、グラフィックバッファ１０６に格納されている第１の動画像のフレーム画像、及び第２の動画像のフレーム画像を逐次取得し、グラフィックプレーンを生成する。また、画像遷移部１０７ａは、リモコン受信部１０８によって受信されるリモコン信号の示す、画像の入れ替え処理に関するユーザ指示によって画像の入れ替え処理を実行する。
【０１２８】
このとき、画像遷移部１０７ａは、転送部１０５によってグラフィックバッファ１０６にフレーム画像が１Ｖ周期で逐次格納される場合には、当該フレーム画像を１Ｖ周期で逐次取得してもよいし、１Ｖ周期の整数倍の周期で逐次取得してもよい。また、画像遷移部１０７ａは、転送部１０５によってグラフィックバッファ１０６にフレーム画像が１Ｖ周期の整数倍の周期で逐次格納される場合には、１Ｖ周期の整数倍の周期で逐次取得すればよい。
【０１２９】
画像遷移部１０７ａは、フレーム画像を１Ｖ周期でグラフィックバッファ１０６から逐次取得して画像の入れ替え処理を実行することにより、画像の入れ替え過程をスムーズな動画像により実現することができる。一方、画像遷移部１０７ａは、フレーム画像を１Ｖ周期の整数倍の周期でグラフィックバッファ１０６から逐次取得して画像の入れ替え処理を実行することにより、当該画像遷移部１０７ａを含むテレビ１０ａにおける画像の入れ替え処理の負荷を軽減することができる。
【０１３０】
画像遷移部１０７ａは、画像の入れ替え処理を指示する旨のリモコン信号を受信すると、第１の領域に表示する画像を第１の動画像のフレーム画像から第２の動画像のフレーム画像へと段階的に遷移させると共に、第２の領域に表示する画像を第２の動画像のフレーム画像から上記第１の動画像のフレーム画像へと段階的に遷移させる。
【０１３１】
すなわち、画像遷移部１０７ａは、以下の条件（３）、及び（４）を満たす遷移フレーム画像を生成する。
【０１３２】
条件（３）第１の領域に、第１の画像を第１の割合で含み、かつ、第１の領域に、第２の画像を第２の割合で含んでいる
条件（４）第２の領域に、第１の部分画像を第３の割合で含み、かつ、上記第２の領域に、第２の画像を第４の割合で含んでいる
さらに、画像遷移部１０７ａは、条件（３）、及び（４）に示される第１〜第４の割合を変化させながら、遷移フレーム画像を逐次生成する。画像遷移部１０７ａが行う画像の入れ替え処理については、参照する図面を代えて後述する。
【０１３３】
〔画像の入れ替え処理〕
次に、画像遷移部１０７ａによる画像の入れ替え処理について、図１１を参照して説明する。図１１は、本実施形態に係る画像遷移部１０７ａによる画像の入れ替え処理について説明するための図である。図１１（ａ）は画像遷移部１０７ａにより入れ替え処理が行われる際の表示画面の遷移の一例を示す図であり、図１１（ｂ）は画像遷移部１０７ａによる入れ替え処理の手順について説明するための図である。
【０１３４】
本実施形態に係るテレビ１０ａは、例えば、図１１（ａ）に示すような、トップ画面（現在選択されている放送チャンネルにおいて放送されている番組を表示する領域、第１の領域）、チャンネル一覧（現在選択されていない他の放送チャンネルにおいて放送されている番組を表示する領域、第２の領域）、現在の日付、及び現在時刻等が含まれるホームマルチ画面を表示する。
【０１３５】
テレビ１０ａがホームマルチ画面を表示している状態において、トップ画面に表示している画像αと、チャンネル一覧に含まれる画像βとを入れ替える旨の指示をユーザから受け付けると、テレビ１０ａが表示する画面は、図１１（ａ）に示すように遷移する。すなわち、画像αが表示されていた領域（第１の領域）においては、画像αが表示面に向かって下方にスロットアウトすると共に、画像βが表示面に向かって上方からスロットインするように遷移する。また、画像βが表示されていた領域（第２の領域）においては、画像βが表示面に向かって下方にスロットアウトすると共に、画像αが表示面に向かって上方からスロットインするように遷移する。
【０１３６】
図１１（ａ）に示す表示画面の遷移において、画像遷移部１０７ａが行う処理について、図１１（ｂ）を参照して説明する。図１１（ｂ）に示すように、ビデオバッファ１０３ｂには、少なくとも画像α、及び画像βが格納されている。また、グラフィックバッファ１０６には、転送部１０５により転送された画像α、及び画像βが格納されている。
【０１３７】
画像遷移部１０７ａは、グラフィックバッファ１０６に格納されている画像αを、分割線Ｄ１を境界線として、図１１（ｂ）に示す画像α１と、画像α２とに分割する。同様に、画像遷移部１０７ａは、グラフィックバッファ１０６に格納されている画像βを、分割線Ｄ２を境界線として、図１１（ｂ）に示す画像β１と、画像β２とに分割する。
【０１３８】
画像遷移部１０７ａは、第１の領域において、画像α１を第１の割合で含み、かつ画像β２を第２の割合で含む（上記条件（３））ように合成することにより、第１の領域に表示する画像を生成する。この際、画像遷移部１０７ａは、境界線Ｂ１の下方に画像α１を配置するとともに、境界線Ｂ１の上方に画像β２を配置するように、画像α１と画像β２とを合成する。
【０１３９】
また、画像遷移部１０７ａは、第２の領域において、画像α２を第３の割合で含み、かつ、画像β１を第４の割合で含む（上記条件（４））ように合成することにより、第２の領域に表示する画像を生成する。この際、画像遷移部１０７ａは、境界線Ｂ２の下方に画像β１を配置するとともに、境界線Ｂ１の上方に画像α２を配置するように、画像α２と画像β１とを合成する。
【０１４０】
画像遷移部１０７ａは、生成した各画像を含む遷移フレーム画像を生成し、表示制御部１０９に供給する。
【０１４１】
続いて、画像遷移部１０７ａは、グラフィックバッファ１０６に格納されている画像αの分割線Ｄ１、及び画像βの分割線Ｄ２を表示面に向かって上方に移動させながら、同様の処理を行う。上記の処理により、モザイク化部１０７は、ブロック２及びブロック１０の各々に表示される境界線であって、画像αと画像βとの間の境界線Ｂ１、Ｂ２を表示面に向かって下方に移動させることになる。上記の処理を繰り返すことにより、モザイク化部１０７は、現在表示している画像を表示面に向かって下方にスロットアウトさせるとともに、他の画像を表示面に向かって上方からスロットインさせるように段階的に遷移する画像を逐次生成することができる。また、画像遷移部１０７ａは、グラフィックバッファ１０６に格納されている画像αの分割線Ｄ１、及び画像βの分割線Ｄ２を表示面に向かって下方に移動させながら、同様の処理を繰り返すことにより、現在表示している画像を表示面に向かって上方にスロットアウトさせるとともに、他の画像を表示面に向かって下方からスロットインさせるように段階的に遷移する画像を逐次生成するように構成してもよい。
【０１４２】
なお、本実施形態に係る画像遷移部１０７ａが行う画像の入れ替え処理は、上述した処理に限定されるものではなく、画像遷移部１０７ａを実施形態１における変形例に示したモザイク化部１０７が行う画像の入れ替え処理と同様の処理を行うように構成してもよい。
【０１４３】
以上のように、本実施形態に係るテレビ１０ａは、単一の動画像同士を入れ替える場合においても、入れ替えの対象となった画像をユーザが容易に特定することができる。
【０１４４】
＜実施形態３＞
実施形態１、及び実施形態２では、チューナ部により受信した放送番組を表す動画像を表示する場合において、表示している動画像同士を入れ替える場合を例に挙げて説明したが、本発明はこれに限定されるものではない。本実施形態において、画像表示装置は、チューナ部により受信した放送番組を表す動画像だけではなく、外部機器から入力された動画像、内蔵された再生装置により取得した動画像、及び通信回線を介して取得した動画像など、入力方式の異なる複数の動画像を表示することが可能である。
【０１４５】
本発明のさらなる実施形態について、図１２から図１３を参照して以下に説明する。但し、この実施形態に記載されている構成は、特に特定的な記載がない限り、この発明の範囲をそれのみに限定する趣旨ではなく、単なる説明例に過ぎない。
【０１４６】
図１２は、本実施形態に係る表示システム３の構成の概要を示すブロック図である。なお、説明の便宜上、前記実施形態にて説明した部材と同じ機能を有する部材については、同じ符号を付記し、その説明を省略する。
【０１４７】
図１２に示すように、表示システム３は、テレビ１０ｂ、及び、リモコン２０を備えている。また、テレビ１０ｂは、図１２に示すように、チューナ部１０１ｂ、デコーダ１０２ｂ、ビデオバッファ１０３ｂ、スケーリング部１０４、転送部１０５、グラフィックバッファ１０６、画像遷移部１０７ｂ、リモコン受信部１０８、表示制御部１０９、及びディスプレイ１１０に加え、外部入力部１１１、記録／再生部１１２、及び通信制御部１１３を更に備えている。
【０１４８】
本実施形態におけるチューナ部１０１ｂは、異なるチャンネルを介して放送される２つの放送番組を同時に受信することが可能なダブルチューナであってもよいし、３つ以上の放送番組を同時に受信することが可能なマルチチューナであってもよい。
【０１４９】
外部入力部１１１は、ＨＤＤ、ＳＤカード等の固体メモリ、ＢＤ（ブルーレイディスク）、ＤＶＤ、ＣＤ等のディスク装置等、種々の外部機器（記録媒体）３０が接続可能に構成されており、外部機器により再生された動画像を表す動画像データをデコーダ１０２ｂに供給する。
【０１５０】
記録／再生部１１２は、動画像データの記録及び再生を行う。記録／再生部１１２は、放送された放送番組を表す動画像データ、及びＢＤ／ＤＶＤ／ＣＤに記録されている動画像データを記憶部（不図示）に記録することができる。また、記録／再生部１１２は、記憶部に記録されている動画像データ、及びＢＤ／ＤＶＤ／ＣＤに記録されている動画像データを再生し、再生した動画像データをデコーダ１０２ｂに供給する。
【０１５１】
通信制御部１１３は、例えば、ＩＰ放送を受信するＩＰ放送チューナ部として機能する。通信制御部１１３は、電話回線・ＬＡＮ等に接続されることにより受信するＩＰ放送の放送番組を表す動画像データをデコーダ１０２ｂに供給する。
【０１５２】
本実施形態において、デコーダ１０２ｂは、チューナ部１０１ｂ、外部入力部１１１、記録／再生部１１２、及び通信制御部１１３から供給された各々の動画像データを映像信号および音声信号にそれぞれデコードする。デコーダ１０２ｂは、デコードした各々の映像信号を構成するフレーム画像をビデオバッファ１０３ｂに逐次格納する。
【０１５３】
また、本実施形態において、ビデオバッファ１０３ｂに格納された各々のフレーム画像は、スケーリング部１０４により逐次取得され、スケーリング処理が実行される。
【０１５４】
また、グラフィックバッファ１０６には、転送部１０５によって複数のフレーム画像が逐次格納される。
【０１５５】
本実施形態に係る画像遷移部１０７ｂは、入力方式の異なる複数の動画像を同時に視聴している場合において、画像を入れ替える処理を行うことができる。上記の場合に、画像遷移部１０７ｂが行う画像の入れ替え処理は、実施形態２における画像遷移部１０７ａと同様の処理により実現される。
【０１５６】
図１３は、本実施形態に係るテレビ１０ｂが表示する画面の一例を示す模式図である。図１３に示す表示画面は、テレビ１０ｂのディスプレイ１１０に表示する動画像を選択するための選択画面であり、テレビ１０ｂに入力されている複数の動画像が、当該複数の動画像の入力方式に関連付けられた名称とともに一覧として表示されている。
【０１５７】
本実施形態に係る画像遷移部１０７ｂは、図１３に示すような選択画面が表示されている状態において、例えば、図１３の一覧における並び順を変更する旨の指示をユーザから受け付けた場合に、画像の入れ替え処理を行うことができる。
【０１５８】
本実施形態において、画像遷移部１０７ｂは、グラフィックバッファ１０６に格納されている複数のフレーム画像のうち、ユーザにより指定された入れ替え対象の一方の領域（第１の領域）に表示している第１の動画像のフレーム画像、及び、ユーザにより指定された入れ替え対象の他方の領域（第２の領域）に表示している第２の動画像のフレーム画像を逐次取得し、グラフィックプレーンを生成する。続いて、画像遷移部１０７ｂは、リモコン受信部１０８によって受信されるリモコン信号の示す、画像の入れ替え処理に関するユーザ指示によって画像の入れ替え処理を実行する。画像遷移部１０７ｂが行う画像の入れ替え処理は、実施形態２における画像遷移部１０７ａと同様の処理により実現される。
【０１５９】
以上のように、本実施形態に係るテレビ１０ｂは、入力方式の異なる複数の動画像同士を入れ替える場合においても、入れ替えの対象となった画像をユーザが容易に特定することができる。
【０１６０】
〔ソフトウェアによる実現例〕
テレビ１０、１０ａ、１０ｂの制御ブロック（特にモザイク化部１０７、画像遷移部１０７ａ、及び画像遷移部１０７ｂ）は、集積回路（ＩＣチップ）等に形成された論理回路（ハードウェア）によって実現してもよいし、ＣＰＵ（Central Processing Unit）を用いてソフトウェアによって実現してもよい。
【０１６１】
後者の場合、テレビ１０、１０ａ、１０ｂは、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１６２】
〔まとめ〕
本発明の態様１に係る画像表示装置（テレビ１０、１０ａ、１０ｂ）は、複数の画像を単一の画面に表示する画像表示装置であって、第１の領域に表示する画像を第１の画像から第２の画像へと段階的に遷移させると共に、上記第１の領域とは異なる第２の領域に表示する画像を上記第２の画像から上記第１の画像へと段階的に遷移させる遷移手段（モザイク化部１０７、画像遷移部１０７ａ、１０７ｂ）を備えている。
【０１６３】
上記の構成によれば、第１の領域に表示する第１の画像と、第２の領域に表示する第２の画像とを入れ替える際に、第１の領域においては、表示する画像を第１の画像から第２の画像へと段階的に遷移させる。一方、第２の領域においては、表示する画像を第２の画像から第１の画像へと段階的に遷移させる。すなわち、第１の領域に表示する画像の遷移は、第１の領域のみにおいて行われ、第２の領域に表示する画像の遷移は、第２の領域のみにおいて行われる。
【０１６４】
したがって、上記の構成によれば、或る領域に表示する画像と他の領域に表示する画像とを相互に入れ替える際に、入れ替えの対象となった画像をユーザが容易に特定することが可能になる。
【０１６５】
本発明の態様２に係る画像表示装置は、上記態様１において、上記複数の画像の各々は、単一の動画像を分割することによって得られる部分動画像であってもよい。
【０１６６】
本発明の態様３に係る画像表示装置は、上記態様２において、当該画像表示装置は、上記単一の動画像のフレーム画像を格納するバッファ（グラフィックバッファ１０６）を備え、上記第１の画像、及び、上記第２の画像は、それぞれ、上記バッファに格納された上記フレーム画像を分割することにより得られる複数の部分画像の何れかであり、上記遷移手段により生成される動画像を構成するフレーム画像は、上記第１の領域に、上記第１の画像を第１の割合で含み、かつ、上記第１の領域に、上記第２の画像を第２の割合で含み、上記第２の領域に、上記第１の画像を第３の割合で含み、かつ、上記第２の領域に、上記第２の画像を第４の割合で含み、上記遷移手段は、上記割合を段階的に変化させる、
ことが好ましい。
【０１６７】
上記の構成によれば、画像表示装置は、グラフィックバッファ１０６に格納されたフレーム画像を分割することにより、第１の画像、及び第２の画像を得る。遷移手段は、第１の領域に第１の画像が含まれる第１の割合、及び第１の領域において第２の画像が含まれる第２の割合を段階的に変化させると共に、第２の領域において第１の画像が含まれる第３の割合、及び第２の領域において第２の画像が含まれる第４の割合を段階的に変化させるように、動画像を構成するフレーム画像を生成する。
【０１６８】
したがって、上記の構成によれば、第１の領域、及び第２の領域に表示する画像を段階的に遷移させることができるので、入れ替えの対象となった画像をユーザが容易に特定することが可能になる。
【０１６９】
本発明の態様４に係る画像表示装置は、上記態様１において、上記複数の画像の各々は、単一の動画像であってもよい。
【０１７０】
本発明の態様５に係る画像表示装置は、上記態様４において、当該画像表示装置は、上記第１の画像である第１の動画像のフレーム画像と、上記第２の画像である第２の動画像のフレーム画像とを格納するバッファ（グラフィックバッファ１０６）を備え、上記第１の画像は、上記バッファに格納された上記第１の動画像のフレーム画像であり、上記第２の画像は、上記バッファに格納された上記第２の動画像のフレーム画像であり、上記遷移手段により生成される動画像を構成するフレーム画像は、上記第１の領域に、上記第１の画像を第１の割合で含み、かつ、上記第１の領域に、上記第２の画像を第２の割合で含み、上記第２の領域に、上記第１の画像を第３の割合で含み、かつ、上記第２の領域に、上記第２の画像を第４の割合で含み、上記遷移手段は、上記割合を段階的に変化させる、ことが好ましい。
【０１７１】
上記の構成によれば、画像表示装置は、画像表示装置は、グラフィックバッファ１０６に格納された第１の画像である第１の動画像のフレーム画像、及び、第２の画像である第２の動画像のフレーム画像を得る。遷移手段は、第１の領域に第１の画像が含まれる第１の割合、及び第１の領域において第２の画像が含まれる第２の割合を段階的に変化させると共に、第２の領域において第１の画像が含まれる第３の割合、及び第２の領域において第２の画像が含まれる第４の割合を段階的に変化させるように、動画像を構成するフレーム画像を生成する。
【０１７２】
したがって、上記の構成によれば、第１の領域、及び第２の領域に表示する画像を段階的に遷移させることができるので、入れ替えの対象となった画像をユーザが容易に特定することが可能になる。
【０１７３】
本発明の態様６に係る画像表示装置は、上記態様３又は５において、上記第１の領域、及び、上記第２の領域には、上記第１の画像の一部分と、上記第２の画像の一部分とが含まれ、上記第１の割合は、上記第１の領域の面積に対する、上記第１の画像の面積の割合であり、上記第２の割合は、上記第１の領域の面積に対する、上記第２の画像の面積の割合であり、上記第３の割合は、上記第２の領域の面積に対する、上記第１の画像の面積の割合であり、上記第４の割合は、上記第２の領域の面積に対する、上記第２の画像の面積の割合であり、上記遷移手段は、上記第１の割合と上記第４の割合とを段階的に低下させると共に、上記第２の割合と上記第３の割合とを段階的に上昇させる、ことが好ましい。
【０１７４】
上記の構成によれば、遷移手段は、第１の領域において、第１の画像が含まれる面積の割合を段階的に低下させると共に、第１の領域において、第２の画像が含まれる面積の割合を段階的に上昇させる。また、遷移手段は、第２の領域において、第２の画像が含まれる面積の割合を段階的に低下させると共に、第２の領域において、第１の画像が含まれる面積の割合を段階的に上昇させる。
【０１７５】
したがって、上記の構成によれば、第１の領域、及び第２の領域に表示する画像を段階的に遷移させることができるので、入れ替えの対象となった画像をユーザが容易に特定することが可能になる。
【０１７６】
本発明の態様７に係る画像表示装置は、上記態様６において、上記遷移手段は、上記第１の領域及び上記第２の領域において、上記第１の画像と上記第２の画像との間の境界線を、垂直方向に移動させる、ことが好ましい。
【０１７７】
上記の構成によれば、遷移手段は、第１の領域において、表示されている第１の画像を垂直方向の一方にスロットアウトさせると共に、第２の画像を垂直方向の他方からスロットインさせるように、第１の領域に表示する画像を段階的に遷移させることができる。同様に、第２の領域において、表示されている第２の画像を垂直方向の一方にスロットアウトさせると共に、第１の画像を垂直方向の他方からスロットインさせるように、第１の領域に表示する画像を段階的に遷移させることができる。
【０１７８】
したがって、上記の構成によれば、入れ替えの対象となった画像をユーザが特定することがさらに容易になる。
【０１７９】
本発明の態様８に係る画像表示装置は、上記態様７において、上記遷移手段は、上記第１の領域の水平方向の表示位置と、上記第２の領域の水平方向の表示位置とが一致する場合に、上記第１の領域及び上記第２の領域において、上記第１の画像と上記第２の画像との間の境界線を、垂直方向に移動させる、ことが好ましい。
【０１８０】
上記の構成によれば、画像表示装置は、入れ替える対象となる第１の領域と第２の領域とが、表示面に向かって垂直方向に並んでいる場合に、第１の領域、及び第２の領域の各々において、表示している画像を垂直方向の一方にスロットアウトさせると共に、入れ替える対象となる他の画像を垂直方向の他方からスロットインさせるように、段階的に遷移させることができる。
【０１８１】
したがって、上記の構成によれば、ユーザに与える違和感を抑制しつつ、入れ替えの対象となった画像をユーザが容易に特定することが可能になる。
【０１８２】
本発明の態様９に係る画像表示装置は、上記態様６において、上記遷移手段は、上記第１の領域及び上記第２の領域において、上記第１の画像と上記第２の画像との間の境界線を、水平方向に移動させる、ことが好ましい。
【０１８３】
上記の構成によれば、画像表示装置は、第１の領域において、表示されている第１の画像を水平方向の一方にスロットアウトさせると共に、第２の画像を水平方向の他方からスロットインさせるように、第１の領域に表示する画像を段階的に遷移させることができる。同様に、第２の領域において、表示されている第２の画像を水平方向の一方にスロットアウトさせると共に、第１の画像を水平方向の他方からスロットインさせるように、第１の領域に表示する画像を段階的に遷移させることができる。
【０１８４】
したがって、上記の構成によれば、上記の構成によれば、入れ替えの対象となった画像をユーザが特定することがさらに容易になる。
【０１８５】
本発明の態様１０に係る画像表示装置は、上記態様９において、上記遷移手段は、上記第１の領域の垂直方向の表示位置と、上記第２の領域の垂直方向の表示位置とが一致する場合に、上記第１の領域及び上記第２の領域において、上記第１の画像と上記第２の画像との間の境界線を、水平方向に移動させる、ことが好ましい。
【０１８６】
上記の構成によれば、画像表示装置は、入れ替える対象となる第１の領域と第２の領域とが、表示面に向かって水平方向に並んでいる場合に、第１の領域、及び第２の領域の各々において、表示している画像を水平方向の一方にスロットアウトさせると共に、入れ替える対象となる他の画像を水平方向の他方からスロットインさせるように、段階的に遷移させることができる。
【０１８７】
したがって、上記の構成によれば、ユーザに与える違和感を抑制しつつ、入れ替えの対象となった画像をユーザが容易に特定することが可能になる。
【０１８８】
本発明の態様１１に係る画像表示装置は、上記態様３又は５において、上記第１の割合は、上記第１の領域における上記第１の画像の明度であり、上記第２の割合は、上記第１の領域における上記第２の画像の明度であり、上記第３の割合は、上記第２の領域における上記第１の画像の明度であり、上記第４の割合は、上記第２の領域における上記第２の画像の明度であり、上記遷移手段は、上記第１の割合と上記第４の割合とを段階的に低下させた後に、上記第２の割合と上記第３の割合とを段階的に上昇させるか、または、上記第１の割合と上記第４の割合とを段階的に上昇させた後に、上記第２の割合と上記第３の割合とを段階的に低下させる、ことが好ましい。
【０１８９】
上記の構成によれば、遷移手段は、第１の領域において、表示されている第１の画像をフェードアウトさせた後に、第２の画像をフェードインさせるように、第１の領域に表示する画像を段階的に遷移させることができる。同様に、遷移手段は、第２の領域において、表示されている第２の画像をフェードアウトさせた後に、第１の画像をフェードインさせるように、第２の領域に表示する画像を段階的に遷移させることができる。
【０１９０】
したがって、上記の構成によれば、入れ替えの対象となった画像をユーザが特定することがさらに容易になる。
【０１９１】
本発明の態様１２に係る画像表示装置は、上記態様３又は５において、上記第１の割合は、上記第１の領域における上記第１の画像の透過率であり、上記第２の割合は、上記第１の領域における上記第２の画像の透過率であり、上記第３の割合は、上記第２の領域における上記第１の画像の透過率であり、上記第４の割合は、上記第２の領域における上記第２の画像の透過率であり、上記遷移手段は、上記第１の割合と上記第４の割合とを段階的に上昇させると共に、上記第２の割合と上記第３の割合とを段階的に低下させる、ことが好ましい。
【０１９２】
上記の構成によれば、遷移手段は、第１の領域において、表示されている第１の画像をフェードアウトさせつつ、第２の画像をフェードインさせるように、第１の領域に表示する画像を段階的に遷移させることができる。同様に、遷移手段は、第２の領域において、表示されている第２の画像をフェードアウトさせつつ、第１の画像をフェードインさせるように、第２の領域に表示する画像を段階的に遷移させることができる。
【０１９３】
したがって、上記の構成によれば、入れ替えの対象となった画像をユーザが特定することがさらに容易になる。
【０１９４】
本発明の態様１３に係るテレビジョン受像機は、上記態様１から１２に係る画像表示装置の各手段を備えている。
【０１９５】
本発明の態様１４に係る画像表示装置の制御方法は、複数の画像を単一の画面に表示する画像表示装置の制御方法であって、第１の領域に表示する画像を第１の画像から第２の画像へと段階的に遷移させると共に、上記第１の領域とは異なる第２の領域に表示する画像を上記第２の画像から上記第１の画像へと段階的に遷移させる遷移ステップを含んでいる。
【０１９６】
上記の構成によれば、上記の画像表示装置と同様の効果を奏する。
【０１９７】
本発明の各態様に係る画像表示装置は、コンピュータによって実現してもよく、この場合には、コンピュータを上記画像表示装置が備える各手段として動作させることにより上記画像表示装置をコンピュータにて実現させる画像表示装置のプログラム、およびそれを記録したコンピュータ読み取り可能な記録媒体も、本発明の範疇に入る。
【０１９８】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１９９】
本発明は、複数の画像を単一の画面に表示する画像表示装置に好適に利用することができる。
【符号の説明】
【０２００】
１、２、３                      表示システム
１０、１０ａ、１０ｂ            テレビ（画像表示装置）
２０                            リモコン
１０１、１０１ａ、１０１ｂ      チューナ部
１０２、１０２ａ、１０２ｂ      デコーダ
１０３、１０３ａ、１０３ｂ      ビデオバッファ
１０４                          スケーリング部
１０５                          転送部
１０６                          グラフィックバッファ（バッファ）
１０７                          モザイク化部（遷移手段）
１０７ａ、１０７ｂ              画像遷移部（遷移手段）
１０８                          リモコン受信部
１０９                          表示制御部
１１０                          ディスプレイ
１１１                          外部入力部
１１２                          記録／再生部
１１３                          通信制御部
【図１】
2015159551.tif 000003
【図２】
2015159551.tif 000004
【図３】
2015159551.tif 000005
【図４】
2015159551.tif 000006
【図５】
2015159551.tif 000007
【図６】
2015159551.tif 000008
【図７】
2015159551.tif 000009
【図８】
2015159551.tif 000010
【図９】
2015159551.tif 000011
【図１０】
2015159551.tif 000012
【図１１】
2015159551.tif 000013
【図１２】
2015159551.tif 000014
【図１３】
2015159551.tif 000015
【図１４】
2015159551.tif 000016
【図１５】
2015159551.tif 000017
【図１６】
2015159551.tif 000018